(57)【要約】【課題】  従来の衣服に用いられるトグルボタン（以後はボタンという）にあっては、着衣に縫い付けられた円環状の紐体によって取り付けられており、ボタン交換の際には先ず前記紐体の縫い付けを解いては再び縫い付ける必要があった。【解決手段】  交換型ボタンの穴部に円環状の紐体を通した後、脱着可能な嵌入具を穴部にはめこむ事で前記ボタンの脱落を防止し、ボタン交換の際に生じる糸の解きや縫い付けを必要とせず、前記ボタンの取り替えが簡単に行える。【選択図】図１
2010264217.tif 000002
【特許請求の範囲】
【請求項１】
衣服を着用の際に用いられるトグルボタンにおいて、上面と下面が同様あるいは違う様相を持っており、中央部に位置して円環状の紐体が通る穴部とガイド部が設けられ、前記円環状の紐体を通した後に同紐体を痛めずに抜け落ちを防ぐ為の嵌入具は、弾性を有し上部に設けられた返り部が前記ガイド部の上部に対向して設けられた溝部に掛かる事で一定の位置で留まり、同ガイド部に嵌入部がはめ込まれる事によって固定が行え、下から上方向に前記嵌入具を押す事によって、トグルボタンが前記紐体からの付け外しを、簡単に行える事を特徴とする交換型トグルボタン。
【請求項２】
請求項１におけるトグルボタンにおいて、上面と下面が同様あるいは違う様相を持ち、中央部に位置して円環状の紐体が通る穴部とガイド部が設けられ、前記円環状の紐体を通した後に同紐体を痛めずに抜け落ちを防ぐ為の嵌入具は、バネ性を有し上部に設けられた返り部が前記ガイド部の上部に対向して設けられた溝部に掛かる事で一定の位置で留まり、貫通した嵌入部先端の縁部に設けられた爪部が前記ガイド部縁の溝部に掛かることでしっかり固定され、前記爪部を押す事によって前記嵌入具を外せる事を特徴とする請求項１の交換型トグルボタン。
【請求項３】
請求項３のトグルボタンにおいて、トグルボタンと同トグルボタンと連絡すると供に開閉部を有する嵌入具が設けられ、前記嵌入具が開いた状態において前記トグルボタン中央部に設けられた穴部より円環状の紐体を通過させた後、前記嵌入具を閉じて開閉部と対向する部分に位置する爪部が前記トグルボタン中央部に設けられた穴部の固定部に掛かることで固定される、開閉機能が設けられた事を特徴とする開閉式トグルボタン。
【請求項４】
請求項４のトグルボタンにおいて、円環状の紐体が掛かるエの形をした嵌入具と、前記紐体が前記嵌入具の対向する差し込み口より掛かった後に同紐体の脱落を防止すると供にトグルボタンの形を成すため、前記嵌入具の差し込み口に対向方向から挿入する挿入口を持つ二つのボタン体より構成され、前記ボタン体に前記嵌入具が挿入された際は、前記ボタン体の内部に設けられた固定部に前記嵌入具の差し込み口先端に設けられた爪部によって、固定される事を特徴とする分離式トグルボタン。
【発明の詳細な説明】
【技術分野】
【０００１】  本発明は、衣服を着用する際に用いられるトグルボタンの交換に関する。
【背景技術】
【０００２】  従来、衣服に用いられるトグルボタン（以後はボタンという）は、円環状の紐体において、前記ボタンに設けられた二つの穴部に前記紐体が通される事によって留められている為、同ボタンを交換する際には衣服から一度、前記紐体を取り外してから前記ボタンの交換を終えた後、再び前記紐体を取り付ける必要があった。
また、交換が可能なボタンは、取り替える際に下部に固定されたＵカン及び本体を介して、交換可能な上部（特願平５−３４８６７）を持つものや、裏面に有する開閉式のループ（登録実用新案第３００６８０６）によるものはあった。
【先行技術文献】
【特許文献】
【０００３】
【特許文献１】特許出願平５−３４８６７号広報
【特許文献２】登録実用新案第３００６８０６号広報
【発明の概要】
【発明が解決しようとする課題】
【０００４】  従来のトグルボタンにあっては、ボタンの破損時や好みのボタンに替える際、紐体の取り外しにおいては縫い付けられた糸を解き、交換ボタンの後に紐体を取り付ける時には再び縫い付ける必要があった。【０００５】  本発明は、上記問題点を解決するために成されたもので、トグルボタンの取り替えを行う際に生じる紐体の取り外し、及び取り付けに伴なう糸のほどきや縫い付けの作業を必要とせず、前記トグルボタンの取り替えが簡単に行える事を目的としたトグルボタンを提供するものである。
【課題を解決するための手段】
【０００６】  本発明は上記目的を達成する為に、衣服を着用の際に用いられるトグルボタンにおいて、第１の課題解決手段は上面と下面が同様あるいは違う様相を持っており、中央部に位置して円環状の紐体が通る穴部とガイド部が設けられ、前記円環状の紐体を通した後に同紐体を痛めずに抜け落ちを防ぐ為の嵌入具は、弾性を有し上部に設けられた返り部が前記ガイド部の上部に対向して設けられた溝部に掛かる事で一定の位置で留まり、同ガイド部に嵌入部がはめ込まれる事によって固定が行え、下から上方向に前記嵌入具を押す事によって、トグルボタンが前記紐体からの付け外しを、簡単に行える事を特徴とする交換型トグルボタン。【０００７】  また、第２の課題解決手段は、上記におけるトグルボタンにおいて、上面と下面が同様あるいは違う様相を持ち、中央部に位置して円環状の紐体が通る穴部とガイド部が設けられ、前記円環状の紐体を通した後に同紐体を痛めずに抜け落ちを防ぐ為の嵌入具は、バネ性を有し上部に設けられた返り部が前記ガイド部の上部周辺に対向して設けられた溝部に掛かる事で一定の位置で留まり、貫通した嵌入部先端の縁部に設けられた爪部が前記ガイド部の下部に設けられた上部と同型の対向する溝部に掛かることでしっかり固定され、前記爪部を押す事によって前記嵌入具を上方向へと外せる機能が設けられたものである。【０００８】  また、第３の課題解決手段は、トグルボタンと同トグルボタンと連絡すると供に開閉部を有する嵌入具が設けられ、前記嵌入具が開いた状態において前記トグルボタン中央部に設けられた穴部より円環状の紐体を通過させた後、前記嵌入具を閉じて開閉部と対向する部分に位置する爪部が前記トグルボタン中央部に設けられた穴部の固定部に掛かることで固定される、開閉機能が設けられたものである。【０００９】  また、第４の課題解決手段は、円環状の紐体が掛かるエの形をした嵌入具と、前記紐体が前記嵌入具の対向する差し込み口より掛かった後に同紐体の脱落を防止すると供にトグルボタンの形を成すため、前記嵌入具の差し込み口に対向方向から挿入する挿入口を持つ二つのボタン体より構成され、前記ボタン体に前記嵌入具が挿入された際は、前記ボタン体の内部に設けられた固定部に前記嵌入具の差し込み口先端に設けられた爪部によって、固定される機能が設けられたものである。【００１０】  上記第１の課題解決手段による作用は次の通りである。すなわちトグルボタンの破損時やそれぞれの嗜好に合わせた物に交換する際、衣服に縫い付けてある紐の取り外しと縫い付けを必要せず、簡単に交換出来る。【００１１】  また、第２の課題解決手段による作用は、トグルボタンの破損時やそれぞれの嗜好に合わせた物に交換する際、簡単に交換出来ると供に嵌入具がしっかり固定出来る。【００１２】  また、第３の課題解決手段による作用は、トグルボタンの破損時やそれぞれの嗜好に合わせた物に交換する際、嵌入具の固定がしっかりすると供に交換も簡単になり、前記トグルボタンに連絡しているため、前記嵌入具を紛失するおそれがない。【００１３】  また、第４の課題解決手段による作用は、組み合わせるトグルボタンをそれぞれの嗜好に合わせて換えることで、より変化に富む自由な組み合わせが可能��なる。
【発明の効果】
【００１４】  上述したように本発明のトグルボタンは、簡単に取り外し及び取り付けが出来る為、衣服に合わせたコーディネートを自由に行える。【００１５】  また請求項２の発明によれば、請求項１のトグルボタンをしっかり固定出来る為、高価なトグルボタンを使用する際も安心して使用出来る。【００１６】  また請求項３の発明によれば、請求項１のトグルボタンをしっかり固定出来るだけでなく、取り外しが簡単に行える。【００１７】  また請求項４の発明によれば、トグルボタンが二つ以上の組み合わせによって固定される為、よりコーディネートの選択肢が広がる。
【図面の簡単な説明】
【００１８】
【図１】  発明を実施するための、最良の第１の形態に係る交換型トグルボタン（Ａ）における、ボタン体（１）及び嵌入具（５）の斜視図である。
【図２】  交換型トグルボタン（Ａ）における、ボタン体（１）及び嵌入具（５）を、Ｙ方向から見た断面図である。
【図３】  交換型トグルボタン（Ａ）における、ボタン体（１）に嵌入具（５）が入った状態を、Ｙ方向から見た断面図である。
【図４】  交換型トグルボタン（Ａ）における、ボタン体（１）に紐体（Ｄ）が通され、嵌入具（５）が用意された状態を、Ｘ方向から見た要部断面図である。
【図５】  交換型トグルボタン（Ａ）における、ボタン体（１）に紐体（Ｄ）が通され、嵌入具（５）が入った状態を、Ｘ方向から見た要部断面図である。
【図６】  発明を実施するための、最良の第２の形態に係る交換型トグルボタン（Ａ）における、ボタン体（１）と、爪付き嵌入具（８）の斜視図である。
【図７】  交換型トグルボタン（Ａ）における、ボタン体（１）、及び爪付き嵌入具（８）を、Ｙ方向から見た断面図である。
【図８】  交換型トグルボタン（Ａ）における、ボタン体（１）に爪付き嵌入具（８）が入った状態を、Ｙ方向から見た断面図である。
【図９】  発明を実施するための、最良の第３の形態に係る開閉式トグルボタン（Ｂ）の開閉式ボタン体（１２）に連絡した開閉式嵌入部（１６）が、開いた状態の斜視図である。
【図１０】  開閉式トグルボタン（Ｂ）の開閉式ボタン体（１２）に連絡した開閉式嵌入部（１６）が、閉じた状態の斜視図である。
【図１１】  発明を実施するための、最良の第４の形態に係る分離式トグルボタン（Ｄ）の分離式ボタン体（１９ａ、１９ｂ）と、分離式嵌入具（２５）が、分離した状態を上部より見た透視図である。
【図１２】  分離式トグルボタン（Ｄ）の分離式ボタン体（１９ａ、１９ｂ）に、分離式嵌入具（２５）が挿入した状態を上部より見た透視図である。
【図１３】  分離式トグルボタン（Ｄ）の分離式ボタン体（１９ａ、１９ｂ）に、分離式嵌入具（２５）が挿入した状態をＸ方向より見た説明図である。
【図１４】  分離式トグルボタン（Ｄ）の、分離式ボタン体（１９ａ、１９ｂ）の色が左右違う状態を上部から見た説明図である。
【図１５】  衣服（２８）に交換型トグルボタン（Ａ）を使用した状態である。
【発明を実施するための形態】
【００１９】  以下、本発明を実施するための、第１の形態を図１〜図１３に基づいて説明する。
【００２０】  図１〜図５における発明を実施するための、最良の第１の形態に係る交換型トグルボタン（Ａ）は、ボタン体（１）及び嵌入具（５）より構成されている。
【００２１】  図１におけるボタン体（１）は、上面と下面が同様あるいは異なる様相を有し、形態は長形で中央には円環状の紐体（Ｄ）が通るために設けられた貫通した２つの穴部（２ａ、２ｂ）と、同２つの穴部（２ａ、２ｂ）を連絡するガイド部（４）及び、同ガイド部（４）の対向する淵部上下には上溝部（３ａ）と下溝部（３ｂ）が設けられている。
【００２２】  嵌入具（５）は弾性を有し、円環状の紐体（Ｄ）が通ると供に同紐体（Ｄ）の抜け落ちを中央にて防止する為、上方より同嵌入具（５）の下部に設けられた嵌入部（７）がガイド部（４）に固定され、上部には上溝部（３ａ）に掛かる事によって同ガイド部（４）から抜け落ちを防止する返り部（６）が設けられている。
【００２３】  図２においては上記に記載のボタン体（１）及び嵌入具（５）を、Ｙ方向より見た断面図である。
【００２４】  図３は上記に記載されたボタン体（１）のガイド部（４）に嵌入部（７）が嵌入された状態を、Ｙ方向より見た断面図である。
【００２５】  図４はボタン体（１）の穴部（２ａ、２ｂ）に紐体（Ｄ）が通された状態で、同紐体（Ｄ）とガイド部（４）の間に嵌入具（５）が位置する状態を、Ｘ方向より見た断面図である。
【００２６】  図５によると上記に記載されたボタン体（１）の穴部（２ａ、２ｂ）に紐体（Ｄ）が通され、ガイド部（４）に嵌入部（７）の挿入した状態をＸ方向より見た断面図で、嵌入具（５）の上部に設けられた返り部（６）が上溝部（３ａ）へと掛かる事によって、同嵌入具（５）及び同紐体（Ｄ）が一定の位置で留まり、供に同ガイド部（４）及び穴部（２ａ、２ｂ）への抜け落ちを防いでいる。
【００２７】  図６〜図８においては本発明を実施する為の、最良の第２の形態に係る交換型トグルボタン（Ａ）は、最良の第１の形態と同型のボタン体（１）と、バネ性を有する爪付き嵌入具（８）より構成されている。
【００２８】図６は、ボタン体（１）と爪付き嵌入具（８）の斜視図である。
【００２９】  図７は図６をＹ方向より見た要部断面図で、ガイド部（４）に嵌入する爪付き嵌入部（１０）と嵌入後に下溝部（３ｂ）に引っ掛かる為の爪部（１１）が設けられている。
【００３０】  図８は爪付き嵌入具（８）の爪付き嵌入部（１０）がボタン体（１）のガイド部（４）に挿入され、下方向には同爪付き嵌入具（８）上部に設けられた爪付き返り部（９）が同ガイド部（４）の上部にて対向する上溝部（３ａ）に掛かる事で一定の位置で留まり、また上方向には貫通した爪部（１１）が同ガイド部（４）の下方で対向する下溝部（３ｂ）に掛かる事によって固定され、逆方向に抜ける事を防止する。
【００３１】  図９〜図１０においては、本発明を実施する為の、最良の第３の形態に係る開閉式トグルボタン（Ｂ）は、開閉式ボタン体（１２）と開閉式嵌入部（１６）によって構成されている。
【００３２】  図９においては開閉式ボタン体（１２）の中央に位置するボタン体穴部（１３）を、両端に紐体（Ｄ）の通る穴を形成する様に塞ぐ開閉式嵌入部（１６）が設けられており、前記ボタン体穴部（１２）に前記紐体（Ｄ）を通す為にボタン体開閉部（１５）と連絡する嵌入開閉部（１７）によって開かれた状態。
【００３３】  図１０においてはボタン体穴部（１３）に紐体（Ｄ）が通された後に、開閉式嵌入部（１６）が閉じて同紐体（Ｄ）の抜け落ちを防と共に、嵌入留め部（１８）がボタン体留め部（１６）によって固定された状態。
【００３４】  図１１〜図１４においては本発明を実施する為の、最良の第４の形態に係る分離式トグルボタン（Ｄ）は、一対の分離式ボタン体（１９ａ、１９ｂ）と分離式嵌入具（２５）から構成されている。
【００３５】  図１１によると分離式トグルボタン（Ｄ）は、分離式嵌入具（２５）の両端双方より中央へと向けて設けられた分離式穴部（２６ａ、２６ｂ）に紐体（Ｄ）が掛けられた後は、一対の分離式ボタン体（１９ａ、１９ｂ）が双方より挿入されようとする状態である。
【００３６】  図１２における分離式トグルボタン（Ｄ）は、分離式嵌入具（２５）に分離式ボタン体（１９ａ、１９ｂ）が挿入された状態で、同分離式ボタン体（１９ａ、１９ｂ）の挿入口（２０ａ、２０ｂ）より差し込まれた際、前記分離式ボタン体（１９ａ、１９ｂ）の先端両端より内部に設けられた分離式留め部（２１ａ、２１ｂ）に、分離式爪部（２７ａ、２７ｂ）が掛かる事によって固定される。
また、分離式嵌入具（２５）を分離式ボタン体（１９ａ、１９ｂ）から外す際は、分離式留め部（２１ａ、２１ｂ）より外部に露出している分離式爪部（２７ａ、２７ｂ）を外方へと押しやる事により、引っ掛かりが外れて分離が可能となる。
【００３７】  図１３は、上記における図１２をＸの方向より見た状態で、分離式嵌入具（２５）と一体の分離式爪部（２７ａ、２７ｂ）を外方へと押される際、分離式ボタン体（１９ａ、１９ｂ）に妨げられる事が無い。
【００３８】  図１４は、上記の図１２における分離式トグルボタン（Ｄ）を構成する分離式ボタン体（１９ａ、１９ｂ）が、左右で事なる様相を持つ分離式ボタン体Ａ（２３）と分離式ボタン体Ｂ（２４）を用いられた状態。
【００３９】  図１５は、交換型トグルボタン（Ａ）が紐体（Ｄ）によって衣服（２８）に装着された状態。
【符号の説明】
【００４０】            Ａ、交換型トグルボタン
１、ボタン体
２ａ、２ｂ、穴部
３ａ、上溝部
３ｂ、下溝部
４、ガイド部
５、嵌入具
６、反り部
７、嵌入部
８、爪付き嵌入具
９、爪付き反り部
１０、爪付き嵌入部
１１、爪部
Ｂ、開閉式トグルボタン
１２、開閉式ボタン体
１３、ボタン体穴部
１４、ボタン体留め部
１５、ボタン体開閉部
１６、開閉式嵌入具
１７、嵌入開閉部
１８、嵌入留め部
Ｃ、分離式トグルボタン
１９ａ、１９ｂ、分離式ボタン体
２０ａ、２０ｂ、挿入口
２１ａ、２１ｂ、分離式留め部
２２ａ、２２ｂ、分離式穴部
２３、分離式ボタン体Ａ
２４、分離式ボタン体Ｂ
２５、分離式嵌入具
２６ａ、２６ｂ、分離式穴部
２７ａ、２７ｂ、分離式爪部
Ｄ、紐体
２８、衣服
【図１】
2010264217.tif 000003
【図２】
2010264217.tif 000004
【図３】
2010264217.tif 000005
【図４】
2010264217.tif 000006
【図５】
2010264217.tif 000007
【図６】
2010264217.tif 000008
【図７】
2010264217.tif 000009
【図８】
2010264217.tif 000010
【図９】
2010264217.tif 000011
【図１０】
2010264217.tif 000012
【図１１】
2010264217.tif 000013
【図１２】
2010264217.tif 000014
【図１３】
2010264217.tif 000015
【図１４】
2010264217.tif 000016
【図１５】
2010264217.tif 000017